(57)【要約】【課題】  上下方向にはう、給電具５６のコード５８を隠蔽する。【解決手段】  配線スペース保持具４６の配線空間４７を利用して壁パネル１５の側縁に沿って給電具５６のコード５８を上下にはわした後、装飾縁材４８を配線スペース保持具４６に取り付けることにより、上下方向に配線されたコード５８を隠蔽することが出来るので、壁構成部材６によって構成された壁体５をすっきりと美しいものとすることが出来る。前記装飾縁材４８は水平断面Ｌ字状をしている。【選択図】  図６
2005105722.tif 000002
【特許請求の範囲】
【請求項１】
複数の壁パネルと、嵌合溝を有する複数の被取付部材用レールと、前記嵌合溝に嵌まる嵌合突起を有する被取付部材と、壁パネルの左右いずれかの側縁に配される、前方又は外方及び上下方に開放した開口を有し、内部に配線空間が形成された、複数の配線スペース保持具と、配線スペース保持具に着脱自在となされた、配線スペース保持具を隠蔽する上下方向に長い水平断面Ｌ字状の装飾縁材とを有する壁構成部材。
【請求項２】
複数の壁パネルと、嵌合溝を有する複数の被取付部材用レールと、前記嵌合溝に嵌まる嵌合突起を有する被取付部材と、壁パネルの左右いずれかの側縁に配される、前方又は外方及び上下方に開放した開口を有し、内部に配線空間が形成された、複数の配線スペース保持具と、配線スペース保持具に着脱自在となされた、配線スペース保持具を隠蔽する上下方向に長い板状の装飾縁材とを有する壁構成部材。
【発明の詳細な説明】
【技術分野】
【０００１】
本発明は壁構成部材に関する。
【背景技術】
【０００２】
従来、この種の壁構成部材として以下の如きものは知られている。
複数の壁パネルと、嵌合溝を有する複数の被取付部材用レールと、前記嵌合溝に嵌まる嵌合突起を有する被取付部材とを有し、前記壁パネルと被取付部材用レールとが上下方向に交互に位置するように部屋の側壁に施工されるようになされると共に相互に隣接する壁パネル又は被取付部材用レールのいずれか一方に連結突起が設けられ、同他方に連結突起が嵌まる連結凹所が形成されたものは知られている。
【特許文献１】登録実用新案第３，０７８，６９２号公報
【発明の開示】
【発明が解決しようとする課題】
【０００３】
前記従来の壁構成部材には以下の如き欠点があった。
従来の壁構成部材は、給電具（差込プラグと、差込プラグに接続されたコードと、コードに接続されたコンセントとからなるもの）のコードを上下方向にはわすための構造を有していなかったので、上下方向にはうコードが目につき意匠的に問題があるという欠点があった。
【課題を解決するための手段】
【０００４】
本発明は前記欠点を解消するために以下の如き手段を採用した。
（１）請求項１の発明は、複数の壁パネルと、嵌合溝を有する複数の被取付部材用レールと、前記嵌合溝に嵌まる嵌合突起を有する被取付部材と、壁パネルの左右いずれかの側縁に配される、前方又は外方及び上下方に開放した開口を有し、内部に配線空間が形成された、複数の配線スペース保持具と、配線スペース保持具に着脱自在となされた、配線スペース保持具を隠蔽する上下方向に長い水平断面Ｌ字状の装飾縁材とを有するものである。
（２）請求項２の発明は、複数の壁パネルと、嵌合溝を有する複数の被取付部材用レールと、前記嵌合溝に嵌まる嵌合突起を有する被取付部材と、壁パネルの左右いずれかの側縁に配される、前方又は外方及び上下方に開放した開口を有し、内部に配線空間が形成された、複数の配線スペース保持具と、配線スペース保持具に着脱自在となされた、配線スペース保持具を隠蔽する上下方向に長い板状の装飾縁材とを有するものである。
【発明の効果】
【０００５】
本発明は前記した如き構成によって以下の如き効果を奏する。
（１）請求項１の発明によれば、配線スペース保持具の配線空間を利用して壁パネルの側縁に沿って給電具のコードを上下にはわした後、装飾縁材を配線スペース保持具に取り付けることにより、上下方向に配線されたコードを隠蔽することが出来るので、壁構成部材によって構成された壁体をすっきりと美しいものとすることが出来る。
（２）請求項２の発明によれば、配線スペース保持具の配線空間を利用して壁パネルの側縁に沿って給電具のコードを上下にはわした後、装飾縁材を配線スペース保持具に取り付けることにより、上下方向に配線されたコードを隠蔽することが出来るので、壁構成部材によって構成された壁体をすっきりと美しいものとすることが出来る。
【発明を実施するための最良の形態】
【０００６】
以下に本発明の実施の形態を説明する。
なお、この説明において、前とは図１紙面表側を、後とは同裏側をいい、左とは図１左側を、右とは同図右側をいう。
【０００７】
部屋１は、正面の側壁２、左側壁２Ｌ、床３及び天井４を有している。前記部屋１の正面の側壁２に、壁構成部材６からなる壁体５が施工・設置されている。この壁体５は、部屋１の左側壁２Ｌに近接して施工されている。
【０００８】
図１及び図２に示すごとく、前記壁構成部材６は下縁材１０を有している。前記下縁材１０は、上部に取付片１１及び連結突起１２とを有している。
【０００９】
図１、図３及び図５等に示すごとく、前記壁構成部材６は複数の壁パネル１５を有している。前記壁パネル１５は、本実施の形態においては高さの相違する２種類のものがあるが、１種類でも３種類以上であってもよい。前記壁パネル１５の上部には上方及び左右方に開放する連結凹所１６が形成され、また、壁パネル１５の下部には下方及び左右方に開放する連結凹所１６が形成されている。
【００１０】
図１、図３及び図５に示すごとく、前記壁構成部材６は複数の被取付部材用レール１８を有している。前記被取付部材用レール１８は、その長手方向に沿う、開口を前方に向けた嵌合溝１９を有している。前記嵌合溝１９の断面形状は、前方に向かって下り傾斜した、下方に凸となる湾曲弧状をしている。また、被取付部材用レール１８は、上下部に連結凹所１６に嵌合する連結突起２０を有している。被取付部材用レール１８は取付片２１を有している。
【００１１】
図１及び図５に示すごとく、前記壁構成部材６は上縁材２２を有している。前記上縁材２２は、下部に連結突起２０が嵌まる連結凹所２３を有している。また、上縁材２２の後面には、被取付部材用レール１８の取付片２１を逃げる段落部２４が形成されている。
【００１２】
図１及び図３に示すごとく、前記壁構成部材６は、テーブル２７（請求の範囲でいうところの被取付部材）を有している。前記テーブル２７は嵌合溝１９に嵌まる嵌合突起２８を有している。また、テーブル２７は、後述の給電具５６のコンセント５９が通過可能な上下方向に貫通した貫通孔２９を有している。
【００１３】
図１、図３及び図４に示すごとく、前記壁構成部材６は複数の配線スペース保持具３２を有している。前記配線スペース保持具３２は、前方及び左右方に開放した開口を有し、内部が配線空間３３となされた本体３４と、本体３４の上下部に形成された、壁パネル１５の連結凹所１６に嵌合する連結突起３５とを有している。前記本体３４の上下の前壁３４ａに、以下に詳述する周知の面接合ファスナー３７の第１シート３８が、フックを前方に向けるようにして、公知の接着手段により取り付けられている。前記面接合ファスナー３７は、多数のフックを有する第１シート３８と、第１シート３８に噛み合い・分離可能な多数のループを有する第２シート３９とを有している。周知のごとく、第１シート３８のフックと第２シート３９のループとを対向させて第１シート３８と第２シート３９とを押し付けると両者は結合し、両者に所定の引き裂き力を加えると両者は分離する。
【００１４】
図１、図３及び図４に示すごとく、前記壁構成部材６は、下側の壁パネル１５と上側の壁パネル１５との間隙を閉塞する、配線スペース保持具３２に着脱自在な複数の閉塞板４２を有している。前記閉塞板４２は、左右周縁部に、指掛け切り欠きを兼ねた、コード通過開口４３を有している。また、閉塞板４２の後面の、配線スペース保持具３２の第１シート３８に対向する部分に第２シート３９が、ループを後方に向けるようにして、公知の接着手段により取り付けられている。前記閉塞板４２は、前後方向に貫通する多数の小さな換気孔（図示略）を有しているが、換気孔はない場合もある。
【００１５】
このような構成により、閉塞板４２を配線スペース保持具３２に取り付けたり、配線スペース保持具３２から取り外したりすることが出来る。
【００１６】
図１、図６及び図７に示すごとく、前記壁構成部材６は、壁パネル１５の右の側縁に配置される複数の配線スペース保持具４６を有している。前記配線スペース保持具４６は、右外方及び上下方に開放した開口を有し、内部に配線空間４７を有している。前記配線スペース保持具４６の前面４６ａ（図６参照）には、面接合ファスナー３７の第１シート３８が、フックを前方に向けるようにして、公知の接着手段により取り付けられている。
【００１７】
図１、図６及び図７に示すごとく、前記壁構成部材６は、配線スペース保持具４６に着脱自在となされた、配線スペース保持具４６を隠蔽する上下方向に長い断面Ｌ字状の装飾縁材４８を有している。前記装飾縁材４８の後面の配線スペース保持具４６に対向する面に、面接合ファスナー３７の第２シート３９が、ループを後方に向けるようにして、公知の接着手段により取り付けられている。
【００１８】
このような構成により、装飾縁材４８を配線スペース保持具４６に取り付けたり、配線スペース保持具４６から取り外したりすることが出来る。
【００１９】
図１及び図８に示すごとく、前記壁構成部材６は、壁パネル１５の左の側縁に配置される複数の配線スペース保持具４６を有している。前記配線スペース保持具４６は、左外方及び上下方に開放した開口を有し、内部に配線空間４７を有している。前記配線スペース保持具４６の前面４６ａには、面接合ファスナー３７の第１シート３８が、フックを前方に向けるようにして、公知の接着手段により取り付けられている。
【００２０】
図１及び図８に示すごとく、前記壁構成部材６は、配線スペース保持具４６に着脱自在となされた、配線スペース保持具４６を隠蔽する上下方向に長い板状の装飾縁材５０を有している。前記装飾縁材５０の後面の配線スペース保持具４６に対向する面に、面接合ファスナー３７の第２シート３９が、ループを後方に向けるようにして、公知の接着手段により取り付けられている。
【００２１】
このような構成により、装飾縁材５０を配線スペース保持具４６に取り付けたり、配線スペース保持具４６から取り外したりすることが出来る。
【００２２】
以下に、壁構成部材６の施工方法を説明する。なお、この説明では、壁体５の、装飾縁材４８、５０を除く左右幅は、壁パネル１５（被取付部材用レール１８）の左右長さと等しいとする。
【００２３】
[第１工程]
まず、図３に示すごとく、部屋１の床３に下端が当接するようにして、下縁材１０をくぎ８で正面の側壁２に固定する。なお、下縁材１０の左右長さは壁パネル１５の左右長さと等しくなされている。なお、図８に示すごとく、左側壁２Ｌとの間には、配線スペース保持具４６のためのスペース５３と給電具５６のコード５８のためのスペース５４（コード５８を前方から配線スペース保持具４６の配線空間４７に至らせるためのもの）とを形成するようにする。
【００２４】
[第２工程]
下縁材１０の連結突起１２に一番下の壁パネル１５の下側の連結凹所１６を嵌合させて、その壁パネル１５を垂直とする。そうすると、壁パネル１５と正面の側壁２との間に空隙５２が形成される。
【００２５】
[第３工程]
その後、配線スペース保持具３２を図１に示す位置に位置させて、配線スペース保持具３２の下側の連結突起３５を前記壁パネル１５の上側の連結凹所１６に嵌合させ、配線スペース保持具３２をくぎ８で正面の側壁２に固定する。
【００２６】
[第４工程]
その後、配線スペース保持具３２の上側の連結突起３５に下から２番目の壁パネル１５の下側の連結凹所１６を嵌合させ、その壁パネル１５を垂直とする。
【００２７】
[第５工程]
その後、前記壁パネル１５の上側の連結凹所１６に被取付部材用レール１８の下側の連結突起２０を嵌合させ、被取付部材用レール１８を正面の側壁２にくぎ８で固定する。
【００２８】
[第６工程]
その後、前記被取付部材用レール１８の上側の連結突起２０に、壁パネル１５の下側の連結凹所１６を嵌合させて、その壁パネル１５を垂直とする。
以下、第５工程と第６工程を繰り返す。
【００２９】
[第７工程]
そして、最上位の被取付部材用レール１８の取り付けが完了した後、図５に示すごとく、最上位の被取付部材用レール１８の上側の連結突起２０に上縁材２２の連結凹所２３を嵌合させ、上縁材２２をくぎ（図示略）により正面の側壁２に固定する。
【００３０】
[第８工程]
その後、テーブル２７を一番下の被取付部材用レール１８に取り付ける（図３参照）。
【００３１】
[第９工程]
その後、配線スペース保持具４６を壁パネル１５の右側の、図１に示す位置に位置させて、くぎ８により正面の側壁２に固定する。
【００３２】
[第１０工程]
その後、周知の給電具５６の差込プラグ５７を、正面の側壁２に設けられた室内コンセント６０に差し込む。前記給電具５６は、差込プラグ５７と、差込プラグ５７に接続されたコード５８と、コード５８に接続されたコンセント５９（図１参照）とからなるものである。その後、コード５８を、配線空間４７や配線空間３３を利用して図示の通りにはわせ、コンセント５９をテーブル２７の貫通孔２９を通じてテーブル２７の上面に至らせる。
【００３３】
[第１１工程]
その後、右側の装飾縁材４８を配線スペース保持具４６に取り付ける。なお、装飾縁材４８は、床３から上縁材２２の上面までに相当する長さを有している。なお、装飾縁材４８には、コード５８を逃げるための切り欠き６１（図７参照）を形成する。
【００３４】
[第１２工程]
その後、閉塞板４２を配線スペース保持具３２に取り付ける。なお、壁パネル１５の前面を含む仮想面を通過する、コード５８の部分は、中央のコード通過開口４３に嵌められる。
【００３５】
[第１３工程]
その後、配線スペース保持具４６を壁パネル１５の左側の、図１に示す位置に位置させて、くぎ８により正面の側壁２に固定する。その後、左側の装飾縁材５０を左側の配線スペース保持具４６に取り付ける。なお、装飾縁材４８は、左側壁２Ｌに当接して、スペース５３、５４を閉塞するようになされている。
【００３６】
なお、左側壁２Ｌに設けられた室内コンセント６０から給電をする場合、左側の配線スペース保持具４６を利用して給電具５６の配線が行われる。その場合、装飾縁材５０に、前記切り欠き６１に相当する切り欠きを形成することは云うまでもない。
【００３７】
図９及び図１０に閉塞板の第１変形例が示されている。
第１変形例の閉塞板６３には、下部に断面Ｌ字状の物品受け６３が設けられている。また、閉塞板６３には、上部にコード通過開口４３が形成されている。
【００３８】
図１１に閉塞板の第２変形例が示されている。
第２変形例の閉塞板６６には、前後方向に貫通する開口６７が形成され、この開口６７にコンセント６８が、差込プラグ受けを有する面６８ａが前面を向くようにして嵌め止められている。このコンセント６８にコードが接続される。この閉塞板６６を使用する場合、閉塞板６６及び他の閉塞板４２に形成された、指掛け切り欠きを兼ねたコード通過開口４３は、指掛け切り欠きとしてのみ機能するものである。
【００３９】
以下に変形例等について説明を加える。
（１）壁体５を左側壁２Ｌに近接して施工しない場合、左側にも断面Ｌ字状の装飾縁材４８が配される。他方、壁体５が右側にある側壁にも近接して配される場合は、右側にも装飾縁材５０が配される。
（２）配線スペース保持具４６の取り付け高さ位置は任意である。
（３）壁パネル１５、上縁材２２に連結突起を設け、被取付部材用レール１８、配線スペース保持具３２、下縁材１０に連結凹所を設けるようにしてもよい。
（４）配線スペース保持具４６はコード５８を前方から嵌められるように前方に開放したものであってもよい。
（５）配線スペース保持具３２と閉塞板４２とを着脱自在とする手段は任意である。
（６）配線スペース保持具４６と装飾縁材４８とを着脱自在とする手段は任意である。
（７）配線スペース保持具４６と装飾縁材５０とを着脱自在とする手段は任意である。
（８）被取付部材用レール１８に取り付けられる被取付部材には、収納庫、棚、吊持具等が含まれる。
【図面の簡単な説明】
【００４０】
【図１】本発明の実施の形態を示す簡略正面図である。
【図２】図１のＩＩ−ＩＩ線拡大断面図である。
【図３】図１のＩＩＩ−ＩＩＩ線に沿う中間省略の拡大断面図である。
【図４】図３のＩＶ−ＩＶ線に沿う中間省略の矢視図である。
【図５】図１のＶ−Ｖ線拡大断面図である。
【図６】図１のＡ部分の中間省略の一部破砕の拡大図である。
【図７】図６のＶＩＩ−ＶＩＩ線断面図である。
【図８】図１のＶＩＩＩ−ＶＩＩＩ線拡大断面図である。
【図９】閉塞板の第１変形例を示す一部破砕の正面図である。
【図１０】図９のＸ−Ｘ線断面図である。
【図１１】閉塞板の第２変形例を示す正面図である。
【符号の説明】
【００４１】
６  壁構成部材
１５  壁パネル
１８  被取付部材用レール
１９  嵌合溝
２７  テーブル（被取付部材）
２８  嵌合突起
４６  配線スペース保持具
４７  配線空間
４８  装飾縁材
５０  装飾縁材
【図１】
2005105722.tif 000003
【図２】
2005105722.tif 000004
【図３】
2005105722.tif 000005
【図４】
2005105722.tif 000006
【図５】
2005105722.tif 000007
【図６】
2005105722.tif 000008
【図７】
2005105722.tif 000009
【図８】
2005105722.tif 000010
【図９】
2005105722.tif 000011
【図１０】
2005105722.tif 000012
【図１１】
2005105722.tif 000013